(57)【要約】      （修正有）【課題】他人が着用していないようなオリジナリティのある帯などの長尺体を提供する。【解決手段】長尺体である帯は、装飾物を取り付けるための孔１０ａ、１０ｂが設けられている。帯は、長尺状の帯体２と、帯体に設けられる結び目８と、を有し、孔は、帯体および結び目の少なくとも何れか一方に設けられていることが好ましい。【選択図】図３
0003213805.tif 000002
【実用新案登録請求の範囲】
【請求項１】
装飾物を取り付けるための孔が設けられていることを特徴とする長尺体。
【請求項２】
長尺状の帯体と、
前記帯体に設けられる結び目と、を有し、
前記孔は、前記帯体および前記結び目の少なくとも何れか一方に設けられていることを特徴とする請求項１に記載の長尺体。
【請求項３】
前記孔を介して、キーホルダ、ストラップおよびネームプレートの少なくとも何れか一つを取り付けることができることを特徴とする請求項１または２に記載の長尺体。
【考案の詳細な説明】
【技術分野】
【０００１】
本考案は、着物用の帯や、はちまきなどの長尺体に関する。
【背景技術】
【０００２】
周知のように、着物を着る際には帯を使用する。例えば、特許文献１には、帯生地にキャラクターなどの絵柄をプリント印刷した兵児帯が開示されている。このようにキャラクターなどの絵柄が付された兵児帯は、通常の帯とは異なった印象をもたらすことができる。
【先行技術文献】
【特許文献】
【０００３】
【特許文献１】実用新案登録第３０５２９７２号公報
【考案の概要】
【考案が解決しようとする課題】
【０００４】
しかしなから、絵柄がプリント印刷される兵児帯は大量に生産されることが多く、同じデザインの帯が市場で販売されることから、オリジナリティが損なわれてしまうという問題がある。近年、使用者の価値観の多様化により、誰もが着用していないような唯一無二の帯を着用したいという要望がある。また、使用者は、同じデザインの帯を着用し続けると、飽きが生じてしまうという問題がある。
本考案は、上述したような問題点に鑑みてなされたものであり、他人が着用していないようなオリジナリティのある帯などの長尺体を提供することを目的とする。
【課題を解決するための手段】
【０００５】
本考案に係る長尺体は、装飾物を取り付けるための孔が設けられていることを特徴とする。
また、本考案に係る長尺体は、長尺状の帯体と、前記帯体に設けられる結び目と、を有し、前記孔は、前記帯体および前記結び目の少なくとも何れか一方に設けられていることを特徴とする。
また、本考案に係る長尺体は、前記孔を介して、キーホルダ、ストラップおよびネームプレートの少なくとも何れか一つを取り付けることができることを特徴とする。
【考案の効果】
【０００６】
本考案によれば、他人が着用していないようなオリジナリティのある帯などの長尺体を着用することができる。
【図面の簡単な説明】
【０００７】
【図１】第１の実施形態の帯の構成の一例を示す図である。
【図２】第１の実施形態の帯体の他端側の構成の一例を示す図である。
【図３】第１の実施形態の帯の結び目の周辺の構成の一例を示す図である。
【図４】第２の実施形態の帯の結び目の周辺の構成の一例を示す図である。
【考案を実施するための形態】
【０００８】
以下に、本考案の実施形態について、図面を参照して詳細に説明する。
本考案の実施形態では、長尺体として帯を例にして説明する。
（第１の実施形態）
図１は、本実施形態の帯１の構成の一例を示す図である。
帯１は、長尺状の帯体２を有している。帯体２は、例えば綿素材等により形成されている。本実施形態の帯体２は、第１の帯部２ａおよび第２の帯部２ｂが重なり合って構成されている。具体的に、例えば、帯体２は、一本の長い帯体を折り返して、重なり合わせている。第１の帯部２ａおよび第２の帯部２ｂは、それぞれ下縁同士および上縁同士を長手方向に沿って縫い合わせることで、一体的に形成されている。
【０００９】
本実施形態の帯１は、意図的に第１の帯部２ａおよび第２の帯部２ｂの上縁同士を縫い合わせない非縫合部を形成する。非縫合部では第１の帯部２ａの上縁と第２の帯部２ｂの上縁との間を開口させることができる。したがって、この非縫合部には、開口から第１の帯部２ａと第２の帯部２ｂとの間に小物を収容することができる収容部４が形成される。図１に示す帯１の例では、収容部４は帯１の他端側１ｂと中央側との２カ所に形成されているが、必要に応じて収容部４の数を増減させたり収容部４を形成する位置を変更したりしてもよい。
【００１０】
帯体２の裏面（帯１を締めたときの体表面側）には、帯体２の中央側から一端側１ａまでの所定の位置に、例えばマジックテープ（登録商標）のような互いに離着自在の着接部６ａおよび６ｂが、縫い込みや接着などにより固定されている。なお、一端側１ａの先端に固定される一方の着接部６ａに対して、他方の着接部６ｂは長い寸法のものが用いられている。使用者は、自身の腰回りの寸法に応じて、帯体２の一端側１ａを折り返し、着接部６ａと着接部６ｂとを互いに着接させることで、帯体２の長手寸法を調整することができる。
【００１１】
次に、帯体２の他端側１ｂには、結び目８が予め固定されている。すなわち、本実施形態の帯１は、着物を着用した後に帯を締めて結び目をつくるのではなく、予め所定の結び目８が帯体２の共布を折り曲げて作成され、帯体２の他端側１ｂの先端に固定されている。なお、結び目８の形状は限定されず、どのような形状であってもよい。
また、帯体２の他端側１ｂの先端には、帯体２の一端側１ａを止着するための後述する止着部９が結び目８によって被覆された状態で固定されている。
【００１２】
図２は、帯体２の他端側１ｂの構成の一例を示す図である。
帯体２の他端側１ｂには、止着部９が結び目８によって前側から被覆された状態で取り付けられる。止着部９は、帯体２の一端側１ａを折り返すことで形成される折り返し部１３ａと止着される。
【００１３】
本実施形態の止着部９は、細長状の金属により形成され、複数ヵ所で折り曲げられた形状を有している。止着部９は、帯体２の幅よりも長く形成された止着直線部９ａ、止着直線部９ａの上端が折り曲げられた鉤部９ｂ、止着直線部９ａの下端から折り曲げられ鉛直状に延びる第１取付直線部９ｃ、第１取付直線部９ｃの上端から斜めに延びる取付傾斜部９ｄ、取付傾斜部９ｄの上端から折り曲げられ鉛直状に延びる第２取付直線部９ｅを有する。
止着部９のうち、止着直線部９ａおよび鉤部９ｂは、帯体２の一端側１ａに止着される止着部本体として機能する。また、止着部９のうち、第１取付直線部９ｃ、取付傾斜部９ｄおよび第２取付直線部９ｅは、止着部９を帯体２の他端側１ｂに取り付ける取付け部として機能する。
【００１４】
止着部９を帯体２の他端側１ｂに取り付ける場合について説明する。帯体２の他端側１ｂには、第１の帯部２ａと第２の帯部２ｂとが重ね合わされる重ね合わせ部１１が形成されている。また、帯体２の他端側１ｂを折り返すことで形成される折り返し部１３ｂの上縁には、傾斜部１４が形成されている。傾斜部１４は、第１の帯部２ａの一部と第２の帯部２ｂの一部とを斜めに切断などすることで形成される。
【００１５】
止着部９を帯体２に取り付ける場合、止着直線部９ａおよび鉤部９ｂは折り返し部１３ｂの外側に位置させる。また、重ね合わせ部１１内に第１取付直線部９ｃ、取付傾斜部９ｄおよび第２取付直線部９ｅを挿入するように位置させて、第１取付直線部９ｃ、取付傾斜部９ｄあるいは第２取付直線部９ｅと、重ね合わせ部１１とを縫い合わせたり接着したりすることで取り付ける。
帯体２の他端側１ｂの表面（帯１を締めたときの外観面側）には、結び目８を縫い合わせたり接着したりすることで固定する。
【００１６】
本実施形態では、帯１にオリジナリティを持たせるために、帯１は装飾物を取り付けるための孔１０ａ、１０ｂを有している。
図３は、帯１の結び目８の一例を示す図である。
ここでは、結び目８は、左右に２枚ずつの羽根８ａ〜８ｄを有する結び目である。羽根８ａ〜８ｄのうち、羽根８ａ、８ｂにそれぞれ孔１０ａ、１０ｂが設けられている。具体的には、羽根８ａの孔１０ａは下側かつ左端に形成され、羽根８ｂの孔１０ｂは下側かつ右端に形成されている。本実施形態の孔１０ａ、１０ｂは、それぞれ羽根８ａ、８ｂに下孔が開けられた後に、両面ハトメが取り付けられることで補強される。
【００１７】
孔１０ａ、１０ｂには帯１の使用者の所望する装飾物を取り付けることができる。
孔１０ａにはいわゆる装飾物の一例としてキーホルダ２０が取り付けられている。キーホルダ２０は、装飾部２１と、取付部２２とを有する。取付部２２は、一部が開放可能なリング状の金具であって、孔１０ａに挿通させることでキーホルダ２０を帯１の結び目８に取り付けることができる。
また、孔１０ｂにはいわゆる装飾物の一例としてストラップ３０が取り付けられている。ストラップ３０は、キャラクターの人形などの装飾部３１と、取付部３２とを有する。取付部３２は、細長い紐状の部材であって、孔１０ｂに挿通させることでストラップ３０を帯１の結び目８に取り付けることができる。
【００１８】
このように、結び目８には、装飾物を取り付けるための孔１０ａ、１０ｂが設けられていることから、帯１の使用者は自身が好きな装飾物を帯１に取り付けることができる。したがって、他人が着用していないようなオリジナリティのある帯１を着用することができる。また、使用者は、同じ帯１を着用し続けて、飽きが生じてしまった場合であっても、帯１に取り付けられている装飾物を異なる装飾物に取り替えることで、飽きが生じることなく継続して帯１を着用することができる。
また、孔１０ａ、１０ｂはハトメによって補強されていることから、装飾物の荷重を受けたとしても、孔１０ａ、１０ｂが損傷してしまうことを抑制することができる。
【００１９】
（第２の実施形態）
図４は、本実施形態の結び目８の周辺の構成を示す図である。なお、第１の実施形態と同様の構成は同一符号を付して、その説明を省略する。
本実施形態では、羽根８ａ〜８ｄのうち、羽根８ｃに孔１０ｃが設けられている。また、帯体２に孔１０ｄが設けられている。
具体的には、羽根８ｃの孔１０ｃは下側かつ左端に形成され、帯体２の孔１０ｄは下側に形成されている。本実施形態の孔１０ｃ、１０ｄは、それぞれ羽根８ｃ、帯体２に下孔が開けられた後に、両面ハトメが取り付けられることで補強される。
【００２０】
孔１０ｃにはいわゆる装飾物の一例としてネームプレート４０が取り付けられている。ネームプレート４０は、装飾部４１と、ネーム表示部４２と、取付部４３とを有する。ネーム表示部４２には、例えば店の名前などを表示することができる。取付部４３は、細長い紐状の部材であって、孔１０ｃに挿通させることでネームプレート４０を帯１の結び目８に取り付けることができる。
孔１０ｄには第１の実施形態で説明したストラップ３０が取り付けられている。取付部３２を孔１０ｄに挿通させることでストラップ３０を帯１の帯体２に取り付けることができる。
【００２１】
このように、結び目８および帯体２には、装飾物を取り付けるための孔１０ｃ、１０ｄが設けられていることから、帯１の使用者は自身が好きな装飾物を帯１に取り付けることができる。したがって、他人が着用していないようなオリジナリティのある帯１を着用することができる。また、使用者は、同じ帯１を着用し続けて、飽きが生じてしまった場合であっても、帯１に取り付けられている装飾物を異なる装飾物に取り替えることで、飽きが生じることなく継続して帯１を着用することができる。
【００２２】
以上、本考案の実施形態について、図面を参照して詳細に説明したが、本考案は上述した実施形態に限定されるものではない。本考案は、その趣旨を逸脱しない範囲において、種々の改変が可能である。
また、例えば、上述した実施形態では、予め結び目８が帯体２の他端側１ｂに固定されている場合について説明したが、この場合に限られず、結び目８が帯体２の長手方向に沿って移動できるように構成してもよい。
【００２３】
また、例えば、第１の実施形態では結び目８に孔１０ａ、１０ｂを設け、第２の実施形態では結び目８に孔１０ｃ、帯体２に孔１０ｄを設ける場合について説明したが、結び目８および帯体２の少なくとも何れか一方に孔を設けることができる。また、孔の数は、２つである場合に限られず、１つまたは３つ以上設けてもよい。
【００２４】
また、例えば、収容部４には、収容した小物が収容部４の開口から飛び出して落下してしまうことを防止する構造を有していてもよい。例えば、収容部４内の第１の帯部２ａおよび第２の帯部２ｂの対向面にそれぞれホックを取り付け、ホック同士を係合することにより収容部４の開口を閉塞させてもよい。
また、例えば、本実施形態では、長尺体として帯を例にして説明したが、この場合に限られず、長尺体としてはちまきに適用してもよい。
【符号の説明】
【００２５】
１：帯  ２：帯体  ２ａ：第１の帯部  ２ｂ：第２の帯部  ４：収容部  ８：結び目  ９：止着部  １０ａ〜１０ｄ：孔  ２０：キーホルダ  ３０：ストラップ  ４０：ネームプレート
【図１】
0003213805.tif 000003
【図２】
0003213805.tif 000004
【図３】
0003213805.tif 000005
【図４】
0003213805.tif 000006